(57)【要約】【課題】基板への取付状態の安定性を確保し、基板から容易に取り外せるようにする。【解決手段】基板５１に固定される固定基部１に、ケーブル５３を結束するバンド部２が連設され、固定基部１は、二股矢尻状の嵌合部３と、バンド部２が挿入されて係止されるロック部４と、嵌合部３の両側部からロック部４へ順次繋がる接続部５及び解除片６と、解除片６の接続部５側から外側方へ延びる一対の脚片７とを備え、解除片６を両側方から摘んで内側へ弾性変形させると、嵌合部３と貫通穴５２との嵌合が解除される差込固定式ケーブルタイにおいて、前記一対の解除片６は、接続部側に位置する横向部分６ａの張出寸法が最大となり、その外端部からロック部４へ向かう摘み部分６ｂの張出寸法がロック部４側へかけて漸次小さくなって、摘み部分６ｂがロック部４に直角より浅い角度で結合され、ロック部４側の内面に半円筒面状の抉り部分６ｃを有するものとする。【選択図】図１
2014176289.tif 000002
【特許請求の範囲】
【請求項１】
基板(51)に固定される固定基部(1)に、ケーブルを結束するバンド部(2)が連設され、前記固定基部(1)は、二股矢尻状の嵌合部(3)と、バンド部(2)が挿入されて係止されるロック部(4)と、嵌合部(3)の両側部からロック部(4)へかけて順次繋がる一対の真っ直ぐな接続部(5)及び外側へ張り出す解除片(6)と、各解除片(6)の接続部(5)側から外側方へ延びる一対の脚片(7)とを備え、嵌合部(3)を基板の貫通穴に差し込むと、嵌合部(3)と脚片(7)とで基板が挟持され、解除片(6)を両側方から摘んで内側へ弾性変形させると、嵌合部(3)と貫通穴(52)との嵌合が解除される差込固定式ケーブルタイにおいて、
前記一対の解除片(6)は、前記接続部(5)側に位置して基板(51)の表面に平行に延びる横向部分(6a)の張出寸法が最大となり、その外端部からロック部(4)へ向かう摘み部分(6b)の張出寸法がロック部(4)側へかけて漸次小さくなって、摘み部分(6b)がロック部(4)に直角より浅い角度で結合され、ロック部(4)側の内面に半円筒面状の抉り部分(6c)を有することを特徴とする差込固定式ケーブルタイ。
【請求項２】
前記嵌合部(3)とロック部(4)とを幅方向中央部で繋ぐポストがなく、解除片(6)の内側で接続部(5)から延長された連結部(8)がロック部(4)に繋がり、嵌合部(3)の内側から一対の接続部(5)及び連結部(8)の間の部分へかけて障害物のない空間が形成され、嵌合部(3)から接続部(5)、連結部(8)の順に肉厚が薄くなっていることを特徴とする請求項１に記載の差込固定式ケーブルタイ。
【請求項３】
前記バンド部(2)の固定基部(1)との結合部分(13)は、固定基部(1)のロック部(4)に挿入される帯状部分(11)よりも幅広く二股状に形成され、前記ロック部(4)と同一の幅となっていることを特徴とする請求項１又は２に記載の差込固定式ケーブルタイ。
【発明の詳細な説明】
【技術分野】
【０００１】
この発明は、電子機器類の基板（シャーシやプリント基板等）にケーブルを結束して固定する差込固定式ケーブルタイに関するものである。
【背景技術】
【０００２】
従来、この種の差込固定式ケーブルタイとして、下記特許文献１（段落［００２１］−［００２３］）には、図７に示すようなものが記載されている。このケーブルタイは、基板５１に固定される固定基部２１に、ケーブルを結束するバンド部２２が連設されたプラスチック製のものである。
【０００３】
固定基部２１は、矢尻状の嵌合部２３と、バンド部２２が挿入されて係止されるロック部２４と、嵌合部２３の両側部からロック部２４へかけて順次繋がる一対の真っ直ぐな接続部２５及び外側へ張り出す解除片２６と、各解除片２６の接続部２５側から外側方へ延びる一対の脚片２７と、嵌合部２３とロック部２４とを幅方向中央部で連結する縦方向のポスト２８を備えている。
【０００４】
一対の解除片２６は、接続部２５側の外端部からロック部２４へ向かう摘み部分が、ロック部２４側へかけて外側へ斜めに張り出した後、ロック部２４の側面に平行に延び、内側へ曲がって、ロック部２４に対し直角に結合されており、接続部２５側の肉厚が厚く、ロック部２４側の肉厚が薄く設定されている。
【０００５】
ロック部２４は、バンド部２２が挿通される挿通口２９の上方に、弾力的に揺動する係止片３０を備え、係止片３０には爪部が設けられている。
【０００６】
バンド部２２は、固定基部２１との結合側から先端の手前まで、同一幅の帯状部分３１が長く延び、その先端側に漸次狭幅となるテーパー部分３２が連設された構成とされ、帯状部分３１の片面に鋸刃部が形成されている。
【０００７】
上記ケーブルタイでは、嵌合部２３を基板５１の貫通穴５２に差し込むと、嵌合部２３が縮径しつつ貫通穴５２を通過した後、弾性により復元し、貫通穴５２から抜け止めされて、嵌合部２３と脚片２７とで基板５１が挟持され、固定基部２１が基板５１に固定される。そして、バンド部２２をテーパー部分３２から挿通口２９に差し込むと、帯状部分３１の鋸刃部が係止片３０の爪部に係合し、バンド部２２が挿通口２９から抜け止めされ、バンド部２２で巻き込んだケーブルが結束される。
【０００８】
一方、電子機器の修理や廃棄等に伴う解体に際しては、係止片３０を引き上げると、バンド部２２の鋸刃部と係止片３０の爪部との係合が解除され、バンド部２２を挿通口２９から引き抜き、ケーブルの結束を解除することができる。
【０００９】
また、解除片２６を両側方から摘んで内側へ弾性変形させると、接続部２５と共に嵌合部２３が内側へ撓み、嵌合部２３と貫通穴５２との嵌合が解除され、嵌合部２３を貫通穴５２から引き抜いて、ケーブルタイを基板５１から分離することができるので、電子機器の修理や解体を容易に行うことができ、ケーブルタイを再利用することもできる。
【先行技術文献】
【特許文献】
【００１０】
【特許文献１】特許第３９３８７５４号公報
【発明の概要】
【発明が解決しようとする課題】
【００１１】
しかしながら、上記のようなケーブルタイでは、脚片２７が延設された解除片２６の接続部２５側における張出寸法が小さいことから、基板５１に取り付けた状態で、固定基部２１が横揺れしやすいという問題がある。
【００１２】
また、解除片２６がロック部２４への連結部側で大きく張り出し、ロック部２４に対して直角に結合されていることから、基板５１から取り外す際、解除片２６を両側方から摘んでも、接続部２５及び嵌合部２３が内側へ大きな変位で撓みにくく、嵌合部２３を貫通穴５２から引き抜きにくいという問題もある。
【００１３】
さらに、嵌合部２３から一対の接続部２５の間において、幅方向中央部にポスト２８が存在していることから、基板５１から取り外す際、解除片２６を両側方から摘んだとき、接続部２５と嵌合部２３の撓みが制約され、貫通穴５２からの嵌合部２３の引き抜きを一層困難にしているという問題がある。
【００１４】
また、バンド部２２の帯状部分３１がそのままの幅でロック部２４に直接連結されていることから、この結合部分が折れやすいという問題もある。
【００１５】
そこで、この発明は、基板に取り付けた状態で安定し、基板からの取り外しが容易で、折曲力等に対する強度にも優れたケーブルタイを提供しようとするものである。
【課題を解決するための手段】
【００１６】
上記のような課題を解決するため、この発明は、基板に固定される固定基部に、ケーブルを結束するバンド部が連設され、前記固定基部は、二股矢尻状の嵌合部と、バンド部が挿入されて係止されるロック部と、嵌合部の両側部からロック部へかけて順次繋がる一対の真っ直ぐな接続部及び外側へ張り出す解除片と、各解除片の接続部側から外側方へ延びる一対の脚片とを備え、嵌合部を基板の貫通穴に差し込むと、嵌合部と脚片とで基板が挟持され、解除片を両側方から摘んで内側へ弾性変形させると、嵌合部と貫通穴との嵌合が解除される差込固定式ケーブルタイにおいて、前記一対の解除片は、前記接続部側に位置して基板の表面に平行に延びる横向部分の張出寸法が最大となり、その外端部からロック部へ向かう摘み部分の張出寸法がロック部側へかけて漸次小さくなって、摘み部分がロック部に直角より浅い角度で結合され、ロック部側の内面に半円筒面状の抉り部分を有する構成を採用したのである。
【００１７】
また、前記嵌合部とロック部とを幅方向中央部で繋ぐポストがなく、解除片の内側で接続部から延長された連結部がロック部に繋がり、嵌合部の内側から一対の接続部及び連結部の間の部分へかけて障害物のない空間が形成され、嵌合部から接続部、連結部の順に肉厚が薄くなっている構成を採用したのである。
【００１８】
さらに、前記バンド部の固定基部との結合部分は、固定基部のロック部に挿入される帯状部分よりも幅広く二股状に形成され、前記ロック部と同一の幅となっている構成を採用したのである。
【発明の効果】
【００１９】
この発明に係る差込固定式ケーブルタイでは、解除片の形状を、脚片が延設された接続部側に位置して基板の表面に平行に延びる横向部分の張出寸法が最大となり、その外端部からロック部へ向かう摘み部分の張出寸法がロック部側へかけて漸次小さくなるものとしているので、横向部分を底辺とし、摘み部分を斜め支柱とする三角構造が形成され、基板に取り付けた状態での横揺れが防止される。
【００２０】
また、固定基部において、嵌合部とロック部とを繋ぐポストがないので、基板から取り外す際、解除片の摘み部分を両側方から摘んだとき、接続部、連結部及び嵌合部の内側への撓みが制約されることがなく、嵌合部を貫通穴から容易に引き抜くことができる。
【００２１】
また、接続部から延長した連結部をロック部に連結しているので、固定基部の剛性が確保され、嵌合部から接続部、連結部の順に肉厚を薄くしたので、解除片の摘み部分を両側方から摘んだとき、嵌合部、接続部及び連結部が内側へ撓みやすく、基板からの取り外し時に大きな力を要することもない。
【００２２】
さらに、解除片の形状により、基板から取り外す際、解除片の摘み部分を親指と人差し指で摘みやすく、摘み部分がロック部に直角より浅い角度で結合され、ロック部側の内面に半円筒面状の抉り部分を有するので、摘み部分を両側方から摘んだとき、抉り部分をヒンジとして、摘み部分が内側へ撓みやすくなり、接続部、連結部及び嵌合部を内側へ大きく撓ませて、嵌合部を貫通穴から容易に引き抜くことができる。
【００２３】
また、バンド部の固定基部との結合部分が、その部分から先端側へ延びる帯状部分よりも幅広く二股状に形成され、ロック部と同一の幅となっているので、バンド部に大きな引張力や捻り力が作用しても、結合部分で折れにくくなる。
【図面の簡単な説明】
【００２４】
【図１】この発明の実施形態に係るケーブルタイと基板及びケーブルを示す斜視図
【図２】同上のケーブルタイの斜視図
【図３】同上の固定基部からバンド部の結合部分までの範囲を拡大して示す（ａ）正面図、（ｂ）側面図、（ｃ）幅方向中央部の縦断側面図
【図４】同上の基板へ取り付けてケーブルを結束する過程を示す縦断側面図
【図５】同上の基板へ取り付けてケーブルを結束した状態を示す正面図
【図６】同上の基板から取り外す際の変形を示す正面図
【図７】従来のケーブルタイを示す正面図
【発明を実施するための形態】
【００２５】
以下、この発明の実施形態を添付図面に基づいて説明する。
【００２６】
図１〜図３に示すように、このケーブルタイもまた、従来のものと同様、基板５１に固定される固定基部１に、ケーブル５３を結束するバンド部２が連設されたプラスチック製のものである。
【００２７】
固定基部１は、二股矢尻状の嵌合部３と、バンド部２が挿入されて係止されるロック部４と、嵌合部３の両側部からロック部４へかけて順次繋がる一対の真っ直ぐな接続部５及び外側へ張り出す解除片６と、各解除片６の接続部５側から外側方へ延びる一対の脚片７とを備えている。
【００２８】
そして、このケーブルタイの場合、従来のものと異なり、解除片６の内側で接続部５から延長された連結部８がロック部４に連結され、嵌合部３とロック部４とを幅方向中央部で繋ぐポストがなく、嵌合部３の内側から一対の接続部５及び連結部８の間の部分へかけて、障害物のない空間が形成されている。
【００２９】
嵌合部３から接続部５、連結部８の順に肉厚が薄くなるように成型され、嵌合部３及び接続部５は、横断方向の全体的な断面形状が円形状となっている。また、嵌合部３は、基板５１の貫通穴５２よりも先端側が小径で、基端側が大径とされ、接続部５は、一対のもの全体として、貫通穴５２よりも小径とされている。
【００３０】
一対の解除片６は、接続部５側に位置する横向部分６ａの張出寸法が最大となり、その外端部からロック部４へ向かう湾曲した摘み部分６ｂの張出寸法がロック部４側へかけて漸次小さくなって、摘み部分６ｂがロック部４に直角より浅い角度で結合され、ロック部４側の内面に半円筒面状の抉り部分６ｃを有する形状とされている。
【００３１】
ロック部４は、バンド部２が挿通される挿通口９が前後面側に開口した角筒状の枠部を有し、その内側上部に、弾力的に上下方向に揺動する係止片１０を備え、係止片１０の下面にラチェット状の爪部１０ａが設けられている。
【００３２】
バンド部２は、帯状部分１１が長く延び、その片面に鋸刃部１１ａが形成され、帯状部分１１の先端側に漸次狭幅となるテーパー部分１２が連設されている。そして、帯状部分１１と固定基部１との結合部分１３が帯状部分１１よりも幅広く二股状に形成され、ロック部４と同一の幅となっている。
【００３３】
また、固定基部１には、バンド部２の結合部分１３から係止片１０の上方にかけて、手前に迫り出す指当片１４が形成され、ロック部４の枠部と解除片６の摘み部分６ｂは、抉り部分６ｃ付近の前面が後退して、前後方向の寸法が小さくなる形状とされている。
【００３４】
上記ケーブルタイを使用して、図４及び図５に示すように、基板５１にケーブル５３を結束して固定する際には、嵌合部３を基板５１の貫通穴５２に差し込むと、嵌合部３が縮径しつつ貫通穴５２を通過した後、弾性により復元し、貫通穴５２から抜け止めされて、嵌合部３と脚片７とで基板５１が挟持され、固定基部１が基板５１に固定される。
【００３５】
そして、バンド部２をテーパー部分１２から挿通口９に差し込んで、ケーブル５３を束にしてバンド部２の帯状部分１１で巻き締めると、帯状部分１１の鋸刃部１１ａが係止片１０の爪部１０ａに係合し、バンド部２が挿通口９から抜け止めされ、ケーブル５３が結束された状態で、基板５１上に保持される。
【００３６】
このようにケーブル５３を結束保持すると、解除片６は、脚片７が延設された接続部５側に位置して基板５１の表面に平行に延びる横向部分６ａの張出寸法が最大となり、その外端部からロック部４へ向かう摘み部分６ｂの張出寸法がロック部４側へかけて漸次小さくなっているので、横向部分６ａを底辺とし、摘み部分６ｂを斜め支柱とする三角構造が形成され、基板５１に取り付けた状態での横揺れが防止される。
【００３７】
また、バンド部２の固定基部１との結合部分１３が、その部分から先端側へ延びる帯状部分１１よりも幅広く二股状に形成され、ロック部４と同一の幅となっているので、バンド部２に大きな引張力や捻り力が作用しても、結合部分１３で折れにくく、ケーブル５３をしっかりと保持することができる。
【００３８】
一方、電子機器の修理や廃棄等に伴う解体に際しては、係止片１０を引き上げると、バンド部２の鋸刃部１１ａと係止片１０の爪部１０ａとの係合が解除され、バンド部２を挿通口９から引き抜き、ケーブル５３の結束を解除することができる。
【００３９】
このとき、係止片１０の上方に指当片１４が存在し、その側方に位置するロック部４の枠部と解除片６の摘み部分６ｂの前面が抉り部分６ｃ付近で後退していることから、これらが障害となることなく、指当片１４の上面に人差指を当てて、親指で係止片１０を引き上げることができ、ケーブル５３の結束解除を容易に行うことができる。
【００４０】
そして、図６に示すように、解除片６の摘み部分６ｂを両側方から摘んで内側へ弾性変形させると、接続部５及び連結部８と共に嵌合部３が内側へ弾性変形し、嵌合部３と貫通穴５２との嵌合が解除され、嵌合部３を貫通穴５２から引き抜いて、ケーブルタイを基板５１から分離することができるので、電子機器の修理や解体を容易に行うことができ、ケーブルタイを再利用することもできる。
【００４１】
この作業に際し、上記ケーブルタイでは、固定基部１において、従来のもののように、嵌合部３とロック部４とを繋ぐポストがないので、解除片６の摘み部分６ｂを両側方から摘んだとき、接続部５、連結部８及び嵌合部３の内側への撓みが制約されることがなく、これらを大きく撓ませて、嵌合部３を貫通穴５２から容易に引き抜くことができる。
【００４２】
また、接続部５から延長した連結部８をロック部４に連結しているので、固定基部１の剛性が確保され、嵌合部３から接続部５、連結部８の順に肉厚を薄くしたので、解除片６の摘み部分６ｂを両側方から摘んだとき、嵌合部３、接続部５及び連結部８が内側へ撓みやすくなり、基板５１からの取り外し時に大きな力を要することもない。
【００４３】
さらに、解除片６の形状により、摘み部分６ｂを親指と人差し指で摘みやすく、摘み部分６ｂがロック部４に直角より浅い角度で結合され、ロック部４側の内面に半円筒面状の抉り部分６ｃを有するので、摘み部分６ｂを両側方から摘んだとき、抉り部分６ｃをヒンジとして、摘み部分６ｂが内側へ撓みやすくなり、基板５１からの取り外しに要する力が一層軽減される。
【符号の説明】
【００４４】
１  固定基部
２  バンド部
３  嵌合部
４  ロック部
５  接続部
６  解除片
６ａ  横向部分
６ｂ  摘み部分
６ｃ  抉り部分
７  脚片
８  連結部
９  挿通口
１０  係止片
１０ａ  爪部
１１  帯状部分
１１ａ  鋸刃部
１２  テーパー部分
１３  結合部分
１４  指当片
５１  基板
５２  貫通穴
５３  ケーブル
【図１】
2014176289.tif 000003
【図２】
2014176289.tif 000004
【図３】
2014176289.tif 000005
【図４】
2014176289.tif 000006
【図５】
2014176289.tif 000007
【図６】
2014176289.tif 000008
【図７】
2014176289.tif 000009